(57)【要約】【課題】  チューナとＣＤプレーヤとを有するオーディオ装置において、使い勝手などを改善する。【解決手段】  放送を受信するチューナ２１と、ＣＤプレーヤ２３と、操作キー１５の操作にしたがって、チューナ２１およびＣＤプレーヤ２３を制御するマイクロコンピュータ３０とを設ける。マイクロコンピュータ３０は、第１のモードでは、チューナ２１から出力されるオーディオ信号を選択して取り出しているとき、ＣＤプレーヤ２３の電源をオンに制御する。マイクロコンピュータ３０は、第２のモードでは、チューナ２１から出力されるオーディオ信号を選択して取り出しているとき、ＣＤプレーヤ２３の電源をオフに制御するとともに、ＣＤプレーヤ２３から出力されるオーディオ信号を取り出すときに、その電源をオンに制御する。【選択図】  図１
2004319063.tif 000002
【特許請求の範囲】
【請求項１】
放送を受信するチューナ部と、
デジタル再生部と、
上記チューナ部および上記デジタル再生部を操作する操作手段と、
この操作手段の操作にしたがって、上記チューナ部および上記デジタル再生部を制御する制御部と
を有し、
この制御部は、
第１のモードでは、上記チューナ部から出力されるオーディオ信号を選択して取り出しているとき、上記デジタル再生部の電源をオンに制御し、
第２のモードでは、上記チューナ部から出力されるオーディオ信号を選択して取り出しているとき、上記デジタル再生部の電源をオフに制御するとともに、
上記デジタル再生部から出力されるオーディオ信号を取り出すときに、その電源をオンに制御する
ようにしたオーディオ装置。
【請求項２】
請求項１に記載のオーディオ装置において、
上記操作手段に対して、所定のキーの操作をしたときに、上記第１のモードと上記第２のモードとを切り換える
ようにしたオーディオ装置。
【請求項３】
請求項１あるいは請求項２に記載のオーディオ装置において、
上記デジタル再生部は、高周波ノイズ成分が上記チューナ部のＡＭ放送の受信に影響を与えるＣＤプレーヤである
ようにしたオーディオ装置。
【請求項４】
請求項２あるいは請求項３に記載のオーディオ装置において、
上記第１のモードから上記第２のモードへ切り換えるときの操作と、上記第２のモードから上記第１のモードへ切り換えるときの操作とが同じである
ようにしたオーディオ装置。
【請求項５】
請求項２あるいは請求項４に記載のオーディオ装置において、
ディスプレイを有し、
上記第１のモードと上記第２のモードとの切り換えが行われたとき、その切り換え結果を上記ディスプレイに表示する
ようにしたオーディオ装置。
【発明の詳細な説明】
【技術分野】
【０００１】
この発明は、チューナ部とデジタル再生部とを有するオーディオ装置に関する。
【背景技術】
【０００２】
民生用のオーディオ機器として、システムステレオと呼ばれるものがある。このシステムステレオは、例えば、ＡＭ・ＦＭチューナ、カセットテープレコーダ、ＣＤプレーヤ、ＭＤ記録再生機（ミニディスク記録再生機）などのコンポーネントを、一体化して１つのキャビネットに収納したものである。
【０００３】
図６は、そのようなシステムステレオの外観の一例を示す正面図である。この例においては、このシステムステレオは、ソースとしてＡＭ放送、ＦＭ放送、ＣＤ、カセットを扱うことができるとともに、ＭＤ記録再生機を外付けできる場合である。
【０００４】
そして、このシステムステレオは、その全体がほぼ直方体状に構成され、その正面パネルには、ディスプレイ１１と、ＣＤ用のディスクトレイ１２と、カセットの挿入口１３とが設けられている。さらに、正面パネルには、電源キー１４と、ファンクションキー１５と、音量のアップダウンキー１６と、操作キー１７とが設けられている。
【０００５】
この場合、キー１４〜１７は、ノンロックタイプのプッシュスイッチにより構成されている。そして、ファンクションキー１５はソースを切り換えるためのものであり、このファンクションキー１５を操作することにより、ＡＭ放送、ＦＭ放送、ＣＤ、カセット、ＭＤのどれかが選択される。また、操作キー１７は、ＡＭ放送あるいはＦＭ放送の受信時には、その受信周波数の変更を行い、ＣＤあるいはカセットの使用時には、動作モードを再生モードや停止モードなどに切り換えるためのものである。
【０００６】
さらに、このシステムステレオの左右両側には、左および右チャンネルのスピーカ２８Ｌ、２８Ｒが配置されている。なお、図示はしないが、このシステムステレオのシステム制御は、内蔵のマイクロコンピュータにより行われる。
【０００７】
したがって、このシステムステレオによれば、省スペース、低価格化などを実現できるとともに、各コンポーネント間のケーブルの引き回しも不要になる。
【０００８】
しかし、このようなシステムステレオにおいては、システム制御用のマイクロコンピュータのクロックの高調波成分がＡＭ周波数帯やＦＭ周波数帯にまで達し、ＡＭ放送やＦＭ放送の受信に妨害を与えてしまう。
【０００９】
そこで、一部のシステムステレオにおいては、放送の受信時、その受信周波数に対応してマイクロコンピュータのクロックの周波数を少しだけ変更することにより、クロックの高調波成分が受信周波数に一致あるいは近接しないようにし、放送の受信に妨害を与えないようにしている。
【００１０】
なお、先行技術文献として例えば以下のものがある。
【特許文献１】特許第３１２２１０２号明細書
【発明の開示】
【発明が解決しようとする課題】
【００１１】
ところで、ＣＤプレーヤやＭＤ記録再生機は、オーディオ信号のデジタル処理を行うとともに、各種の制御もデジタル処理とされている。このため、ＣＤプレーヤやＭＤ記録再生機からは、ＡＭ周波数帯やＦＭ周波数帯に達する高い周波数のノイズ成分が発生している。そして、上述のシステムステレオにおいては、１つのキャビネット内に、ＡＭ放送およびＦＭ放送のチューナと、ＣＤプレーヤとが収納されている。
【００１２】
このため、ＣＤプレーヤで発生した高周波ノイズ成分が、チューナに飛び込んでしまい、放送の受信、特にＡＭ放送の受信に妨害を与えることがある。すなわち、地元の放送を受信するような場合には、その受信信号のレベルが高いので、高周波ノイズ成分はＡＧＣにより抑圧され、実用上、問題にならない。しかし、遠隔地の放送や受信条件の悪い放送を受信するような場合には、その受信信号のレベルが低いので、高周波ノイズ成分の影響を受けることがある。
【００１３】
このような問題をなくすには、放送の受信時には、ＣＤプレーヤの電源をオフにすればよい。すなわち、放送を聴いているときは、ＣＤを再生することがないので、ＣＤプレーヤの電源をオフにしても支障はない。そして、ＣＤプレーヤの電源をオフにすれば、ＣＤプレーヤが高周波ノイズ成分を発生することがなく、したがって、ＣＤプレーヤが放送の受信に妨害を与えることがない。
【００１４】
ところが、ＣＤプレーヤは、電源がオンになると、各部を初期化するとともに、ＣＤからＴＯＣを読み出すようにされている。そして、これらの処理に数秒の時間を必要とする。
【００１５】
したがって、放送の受信時に、ＣＤプレーヤの電源をオフにしておくと、ソースをＡＭ放送の受信からＣＤの再生に切り換えたとき、数秒の間、何もできないことになってしまう。
【００１６】
もちろん、放送の受信時も、ＣＤプレーヤの電源をオンにしておけば、ソースを放送の受信からＣＤの再生に切り換えたとき、ただちにＣＤを再生することができる。しかし、この場合には、上述のように、放送の受信に妨害を与えることがある。
【００１７】
この発明は、以上のような問題点を解決しようとするものである。
【課題を解決するための手段】
【００１８】
この発明においては、
放送を受信するチューナ部と、
デジタル再生部と、
上記チューナ部および上記デジタル再生部を操作する操作手段と、
この操作手段の操作にしたがって、上記チューナ部および上記デジタル再生部を制御する制御部と
を有し、
この制御部は、
第１のモードでは、上記チューナ部から出力されるオーディオ信号を選択して取り出しているとき、上記デジタル再生部の電源をオンに制御し、
第２のモードでは、上記チューナ部から出力されるオーディオ信号を選択して取り出しているとき、上記デジタル再生部の電源をオフに制御するとともに、
上記デジタル再生部から出力されるオーディオ信号を取り出すときに、その電源をオンに制御する
ようにしたオーディオ装置
とするものである。
【発明の効果】
【００１９】
この発明によれば、ＣＤプレーヤの電源を例えば図５に示すように制御しているので、第１のモードでは、ファンクションをＣＤプレーヤに切り換えたとき、ただちにＣＤを再生することができる。また、第２のモードでは、放送を受信しているときには、ＣＤプレーヤの電源はオフとなるので、ＣＤプレーヤで発生する高周波ノイズ成分が放送の受信に影響を与えることがない。そして、ユーザは、第１のモードと第２のモードとを自由に切り換えることができる。
【００２０】
さらに、所定のキー操作をしたときに、第１のモードと第２のモードとを切り換えているので、その切り換えのために新たにスイッチを設ける必要がなく、コストの上昇を招いたり、スイッチの取り付け位置が問題になったりすることがない。
【発明を実施するための最良の形態】
【００２１】
［１］  オーディオ信号系の構成および基本的な動作
図１は、この発明によるシステムステレオのオーディオ信号系の一例を示す。この例においては、ソースとしてＡＭ放送、ＦＭ放送、ＣＤ、カセットを扱うことができるとともに、ＭＤ記録再生機をオプションで外付けできる場合である。また、その外観の正面は例えば図６により説明したように構成される。
【００２２】
そして、図１に示すように、このシステムステレオは、ソースとして、ＡＭ・ＦＭチューナ２１と、カセットテープデッキ２２と、ＣＤプレーヤ２３と、ライン入力端子２４とを有する。この場合、チューナ２１はシンセサイザ方式に構成されるとともに、受信制御用にマイクロコンピュータ（図示せず）を有し、後述するシステム制御用のマイクロコンピュータ３０からのコマンド（およびデータ）にしたがって、受信バンドおよび受信周波数を任意に変更できるように構成されている。
【００２３】
また、カセットテープデッキ２２およびＣＤプレーヤ２３も動作制御用にマイクロコンピュータ（図示せず）を有し、マイクロコンピュータ３０からのコマンド（およびデータ）によりそれらの動作モードなどを任意に変更できるように構成されている。さらに、入力端子２４には、外付けのＭＤ記録再生機５０が接続され、このＭＤ記録再生機５０からのオーディオ信号が供給される。
【００２４】
そして、チューナ２１、カセットテープデッキ２２、ＣＤプレーヤ２３および入力端子２４、すなわち、ソース２１〜２４から得られるオーディオ信号が、入力選択用のスイッチ回路２５に供給される。このスイッチ回路２５は、ファンクションキー１５の出力に基づいてマイクロコンピュータ３０により制御され、ソース２１〜２４から供給されるオーディオ信号のうち、ファンクションキー１５により指示されたソースのオーディオ信号を選択して取り出すものである。
【００２５】
そして、このスイッチ回路２５から取り出されたオーディオ信号が、アンプ２６に供給されて音量調整、音質調整、音場補正などの処理がされ、その後、出力端子２７Ｌ、２７Ｒを通じて左および右チャンネルのスピーカ２８Ｌ、２８Ｒに供給される。
【００２６】
また、マイクロコンピュータ３０は、上記のようにシステム制御用であり、ＣＰＵ３１、ＲＯＭ３２および不揮発性メモリ３２などを有する。そして、ＲＯＭ３２には、このシステムステレオを制御するための各種のプログラムが用意されるとともに、そのプログラムの一部として、例えば図３および図４に示すようなルーチン１００、２００が用意される。このルーチン１００、２００の詳細については後述するが、図３および図４においては、ルーチン１００、２００は、この発明に関係する部分だけを抜粋して示している。
【００２７】
また、メモリ３２は、このシステムステレオの設定や動作状態などに関する情報やデータを保持しておくためのものであり、例えば電源オフの操作をした場合には、次に電源をオンにしたときに、システムを前回電源をオフにしたときの動作状態に復帰させるために必要なデータが保存される。
【００２８】
さらに、マイクロコンピュータ３０には、電源キー１４、ファンクションキー１５、音量のアップダウンキー１６、操作キー１７などが接続されるとともに、ディスプレイ１１が接続される。また、マイクロコンピュータ３０から各種の制御信号が取り出され、これら制御信号がソース２１〜２３、スイッチ回路２５およびアンプ２６にそれぞれ供給される。
【００２９】
したがって、ファンクションキー１５を操作すると、マイクロコンピュータ３０によりスイッチ回路２５が制御され、ソース２１〜２４うち、操作されたファンクションキー１５に対応するソースのオーディオ信号がスイッチ２５から取り出され、その取り出されたオーディオ信号が再生音としてスピーカ２８Ｌ、２８Ｒから出力される。そして、このとき、アップダウンキー１６を操作することにより、アンプ２６においてオーディオ信号のレベルが変更され、したがって、再生音の音量を調整することができる。
【００３０】
また、マイクロコンピュータ３０において、所定の表示信号が形成されてディスプレイ１１に供給され、ディスプレイ１１には、このときのソースに関する情報、例えば放送の受信時であれば、周波数などが表示され、ＣＤの再生時であれば、トラック番号や経過時間などが表示される。
【００３１】
［２］  電源系の構成および基本的な動作
図２は、上述したシステムステレオの電源系の一例を示す。すなわち、商用交流電圧が電源プラグ４１を通じて電源回路４２に供給されて所定の直流電圧ＶDCに整流および安定化され、この直流電圧ＶDCがマイクロコンピュータ３０にその動作電圧として供給される。
【００３２】
また、電源回路４２から出力される直流電圧ＶDCが、スイッチ回路４３を通じてチューナ２１、カセットテープデッキ２２、アンプ２６およびディスプレイ１１にそれらの動作電圧として供給される。さらに、スイッチ回路４３から出力される直流電圧ＶDCが、別のスイッチ回路４４を通じてＣＤプレーヤ２３にその動作電圧として供給される。また、マイクロコンピュータ３０から所定の制御信号が取り出され、この制御信号がスイッチ回路４３、４４にそれらの制御信号として供給される。
【００３３】
そして、ユーザが電源キー１４を操作すると、これがマイクロコンピュータ３０により判別され、マイクロコンピュータ３０からの制御信号によりスイッチ回路４３がオンあるいはオフに制御される。このとき、スイッチ回路４３のオン・オフは、電源キー１４を押すごとに交互に反転させられる。したがって、電源キー１４を押すごとに、このシステムステレオの電源がオンあるいはオフに切り換えられる。
【００３４】
また、次項で詳述するように、ＣＤプレーヤ２３の使用状況に応じて、マイクロコンピュータ３０からの制御信号によりスイッチ回路４４がオンあるいはオフとされ、ＣＤプレーヤ２３への給電が制御される。
【００３５】
［３］  ＣＤプレーヤ２３の電源の制御
図５は、ＣＤプレーヤ２３の電源モードを示す。この図５において、「ＣＤパワーフラグCDPWRF」は、ＣＤプレーヤ２３の電源を管理するためのフラグであり、ユーザが所定のキー操作をすると、その操作ごとに、ルーチン１００により“０”と“１”とに交互に切り換えられるものである。
【００３６】
このフラグCDPWRFの切り換えは、既存の操作キーに対して通常の使用ではありえない組み合わせのキー操作をしたときに実行されるもので、ルーチン１００の場合には、
(1) ユーザから見てシステムの電源がオフである。  
(2) (1)のとき、所定の操作キー、例えば操作キー１７のうちの停止キーを押しながら電源キー１４を押す。 
(3) (2)のとき、スイッチ回路２５がＣＤプレーヤ２３を選択している。 
の条件(1)〜(3)が揃ったときに行われる。なお、フラグCDPWRFは不揮発性メモリ３３に保存される。
【００３７】
そして、ファンクション切り換えと、ＣＤパワーフラグCDPWRFとにしたがって、ＣＤプレーヤ２３の電源モードが図５に示すように制御される。すなわち、この制御はルーチン２００により実行されるものであるが、ファンクションキー１５が放送の受信を選択している場合（スイッチ２５がチューナ２１のＡＭ出力あるいはＦＭ出力を選択している場合）で、CDPWRF＝“１”のときには、ＣＤプレーヤ２３の電源はオンとされる。
【００３８】
しかし、ファンクションキー１５がＡＭ放送の受信を選択している場合であって、CDPWRF＝“０”のときには、ＣＤプレーヤ２３の電源はオフとされる。
【００３９】
また、ファンクションキー１５が放送の受信以外を選択している場合には、フラグCDPWRFの“１”あるいは“０”にかかわらず、ＣＤプレーヤ２３の電源はオンとされる。
【００４０】
そして、以上を実現するため、ルーチン１００、２００は以下のような内容とされる。すなわち、電源プラグ４１に商用交流電圧が供給されると、マイクロコンピュータ３０において、ＣＰＵ３１の処理がルーチン１００のステップ１０１からスタートし、次にステップ１０２において各部の初期化が行われる。この初期化では、CDPWRF＝“１”（これはデフォルト）とされる。なお、このとき、初期化のために各部の電源はオンとなるが、ユーザから見てシステムは電源がオフの状態である。
【００４１】
続いて、処理はステップ１０２からステップ１１１に進み、このステップ１１１において、電源キー１４の操作待ちとなる。つまり、以後、ユーザは電源キー１４を押せば、このシステムステレオを使用できる。
【００４２】
［３−１］  ＣＤパワーフラグCDPWRFを切り換え
ＣＤパワーフラグCDPWRFを切り換える場合には、電源がオフのときに（条件(1)）所定の操作キー、すなわち、操作キー１７のうちの停止キーを押しながら電源キー１４を押す。すると、電源キー１４が押されることにより、処理がステップ１１１からステップ１１２に進み、このステップ１１２において、操作キー１７のうちの停止キーが押されているかどうかが判別される。この場合、ステップ１１１に続いてステップ１１２が実行されるまの時間は瞬時であるから、結果として、ステップ１１２は、停止キーと電源キー１４との同時押しを判別することになる。
【００４３】
そして、今の場合、停止キーと電源キー１４とが同時に押されているので（条件(2)が成立）、処理はステップ１１２からステップ１１３に進み、このステップ１１３において、スイッチ回路２５がＣＤプレーヤ２３を選択しているかどうかが判別することにより、ファンクション切り換えがＣＤとされているかどうかが判別される。
【００４４】
そして、ＣＤとされているときには（条件(3)が成立するとき）、処理はステップ１１３からステップ１２１に進み、このステップ１２１において、ＣＤパワーフラグCDPWRFが反転される。つまり、それまでCDPWRF＝“１”のときにはCDPWRF＝“０”とされ、それまでCDPWRF＝“０”のときにはCDPWRF＝“１”とされる。なお、このステップ１２１以外のステップで、ＣＤパワーフラグCDPWRFを制御することはない。
【００４５】
続いて、処理はステップ１２２に進み、このステップ１２２において、スイッチ回路４３がオンに制御され、したがって、チューナ２１、カセットテープデッキ２２、アンプ２６およびディスプレイ１１の電源がオンとされる。そして、次に処理はステップ１２３に進み、このステップ１２３において、ディスプレイ１１に所定の表示信号が供給され、ディスプレイ１１には、ＣＤプレーヤ２３の電源モードが表示される。
【００４６】
すなわち、ディスプレイ１１には、CDPWRF＝“１”のときには、「ＣＤ  ＰＯＷＥＲ  ＯＮ」の文字が表示され、CDPWRF＝“０”のときには、「ＣＤ  ＰＯＷＥＲ  ＯＦＦ」の文字が表示される。そして、ＣＤプレーヤ２３の電源モードが例えば３秒間にわたって表示されると、処理はステップ１２３から後述するステップ１３２に進む。
【００４７】
したがって、条件(1)〜(3)の操作を行うと、その操作ごとにＣＤパワーフラグCDPWRFが“０”あるいは“１”に交互に切り換えられることになる。また、その切り換え結果にしたがって、ＣＤプレーヤ２３の電源モードがディスプレイ１１に表示される。
【００４８】
なお、ステップ１１３において、ファンクション切り換えがＣＤとされていないときには（条件(3)が不成立のとき）、処理はステップ１１３からステップ１１１に戻り、ＣＤパワーフラグCDPWRFの切り換えは実行されない。
【００４９】
［３−２］  通常の使用（ＣＤプレーヤ２３の電源の制御）
放送の受信やＣＤの再生など通常のように使う場合には、電源がオフのときに電源キー１４だけを押す。すると、処理はステップ１１１からステップ１１２を通じてステップ１３１に進み、このステップ１３１において、スイッチ回路４３がオンに制御され、したがって、チューナ２１、カセットテープデッキ２２、アンプ２６およびディスプレイ１１の電源がオンとされる。
【００５０】
続いて、処理はステップ１３２に進み、このステップ１３２において、あらかじめメモリ３３に保存しておいた情報にしたがって、スイッチ回路２５の切り換え位置およびアンプ２６におけるオーディオ信号レベルなどが、前回電源をオフにしたときの状態に復帰させられ、次に処理はステップ１３３に進む。
【００５１】
このステップ１３３においては、ルーチン２００が実行されてＣＤプレーヤ２３の電源が図５に示すように制御される。すなわち、ＣＰＵ３１の処理がルーチン２００に移ると、ルーチン２００においては、ＣＰＵ３１の処理がステップ２０１からスタートし、次にステップ２０２において、スイッチ回路２５がチューナ２１のＡＭ出力に切り換えられているかどうかが判別される。
【００５２】
そして、スイッチ回路２５がチューナ２１の出力に切り換えられているときには、処理はステップ２０２からステップ２０３に進み、このステップ２３０において、ＣＤパワーフラグCDPWRFが判別される。そして、CDPWRF＝“０”のときには、処理はステップ２０３からステップ２０４に進み、スイッチ回路４４がオフに制御され、したがって、ＣＤプレーヤ２３の電源はオフとされ、その後、ステップ２０６によりルーチン２００を終了し、ルーチン１００に戻る。
【００５３】
また、ステップ２０２において、スイッチ回路２５がチューナ２１のＡＭ出力以外に切り換えられているときには、処理はステップ２０２からステップ２０５に進む。さらに、ステップ２０３において、CDPWRF＝“１”のときも、処理はステップ２０３からステップ２０５に進む。そして、ステップ２０５においては、スイッチ回路４４がオンに制御され、したがって、ＣＤプレーヤ２３の電源はオンとされ、その後、ステップ２０６によりルーチン２００を終了する。
【００５４】
したがって、ルーチン２００によれば、このルーチン２００が実行されたときのファンクション切り換えおよびＣＤパワーフラグCDPWRFに対応して、ＣＤプレーヤ２３の電源が図５に示すように制御されることになる。
【００５５】
この結果、電源がオフのときに電源キー１４を単独で押すと、チューナ２１、カセットテープデッキ２２、アンプ２６およびディスプレイ１１の電源がステップ１３１によりオンとされるとともに、ステップ１３３（ルーチン２００）によりＣＤプレーヤ２３の電源がオンあるいはオフに制御されることになる。つまり、ユーザから見てシステムステレオの電源オンになったことになる。
【００５６】
そして、ルーチン１００においては、ＣＰＵ３１の処理はステップ１３３に続いてステップ１４０に進む。このステップ１４０においては、ファンクションキー１５、音量キー１６および操作キー１７の操作にしたがって、ソース２１〜２４の切り換えや音量の調整などが実行され、したがって、キー１５〜１７の操作により、このシステムステレオを通常どおりに使用することが可能とされる。
【００５７】
ただし、このステップ１４０においては、ファンクションスイッチ１５が操作されてスイッチ回路２５が切り換えられるごとに、ルーチン２００が実行され、ＣＤプレーヤ２３の電源が図５に示すように制御される。
【００５８】
そして、任意の使用状態にあるとき、電源キー１５を押すと、これがルーチン１４０におけるステップ１４１により判別され、処理はステップ１４１からステップ１５１に進み、このステップ１５１において、ステップ１３２が使用する情報がメモリ３３に保存される。続いて、ステップ１５２において、スイッチ回路４３、４４がオフとされてシステムは電源がオフの状態とされ、その後、処理はステップ１１１に戻る。
【００５９】
こうして、電源オフの状態で電源キー１４を操作した場合には、通常のシステムステレオとして使用することができる。
【００６０】
［４］  まとめ
上述のシステムステレオにおいては、ＣＤプレーヤ２３の電源が図５に示すように制御されるので、CDPWRF＝“１”にしておけば、ＣＤプレーヤ２３は常に電源がオンの状態となり、したがって、ファンクションキー１５を操作してスイッチ回路２５をＣＤプレーヤ２３に切り換えたとき、ただちにＣＤを再生することができる。
【００６１】
また、CDPWRF＝“０”にしておけば、チューナ２１により放送を受信しているときには、ＣＤプレーヤ２３の電源はオフの状態となり、したがって、遠隔地や受信条件の悪い地域などで放送を受信するため、その受信信号のレベルが低い場合でも、ＣＤプレーヤ２３で発生する高周波ノイズ成分の影響を受けることがない。さらに、ＣＤパワーフラグCDPWRFを切り換えるためのスイッチを新たに設ける場合には、コストの上昇を招くとともに、その取り付け位置が問題になる。例えばシステムの正面パネルに設けると、誤って操作してしまうことがあり、システムの後面などに設けると、必要なときの操作がしにくくなってしまう。
【００６２】
しかし、上述のシステムステレオにおいては、例えば条件(1)〜(3)が満たされたときに、すなわち、既存の操作キーに対して通常の使用ではありえない組み合わせの操作をしたときに、ＣＤパワーフラグCDPWRFの切り換えが行われるようにしているので、その切り換えのために新たにスイッチを設ける必要がない。したがって、コストの上昇を招いたり、その取り付け位置が問題になったりすることがない。また、誤って切り換え操作をしてしまうこともない。
【００６３】
なお、上述においては、ＣＤプレーヤ２３から発生する高周波ノイズ成分がチューナ２１に飛び込んで問題を生じる場合であるが、ＣＤプレーヤ以外にもＭＤ記録再生機、ＤＡＴ、ＤＶＤプレーヤなどのデジタル再生部から発生する高周波ノイズ成分がＡＭ放送やＦＭ放送あるいはテレビ放送などの受信に影響を与える場合であれば、この発明を適用できる。
【００６４】
〔略語の一覧〕
ＡＧＣ：Automatic Gain Control
ＡＭ  ：Amplitude Modulation
ＣＤ  ：Compact Disc
ＣＰＵ：Central Processing Unit
ＤＡＴ：Digital Audio Tape (recorder)
ＦＭ  ：Frequency Modulation
ＭＤ  ：Mini Disc
ＲＯＭ：Read Only Memory
ＴＯＣ：Table Of Contents
【図面の簡単な説明】
【００６５】
【図１】この発明の一形態におけるオーディオ信号系を示す系統図である。
【図２】この発明の一形態における電源系を示す系統図である。
【図３】この発明の一形態を示すフローチャートである。
【図４】図４のフローチャートの一部の詳細を示すフローチャートである。
【図５】この発明を説明するための図である。
【図６】この発明を説明するための正面図である。
【符号の説明】
【００６６】
１４…電源キー、１５…ファンクションキー、１６…音量アップダウンキー、１７…操作キー、２１…ＡＭ・ＦＭチューナ、２２…カセットテープデッキ、２３…ＣＤプレーヤ、２４…ライン入力端子、２５…ファンクション用スイッチ回路、２６…アンプ、２８Ｌおよび２８Ｒ…スピーカ、３０…システム制御用マイクロコンピュータ、３１…ＣＰＵ、３２…ＲＯＭ、３３…不揮発性メモリ、４１…電源プラグ、４２…電源回路、４３および４４…電源用スイッチ回路
【図１】
2004319063.tif 000003
【図２】
2004319063.tif 000004
【図３】
2004319063.tif 000005
【図４】
2004319063.tif 000006
【図５】
2004319063.tif 000007
【図６】
2004319063.tif 000008